(57)【要約】【課題】階段の段板を壁面に対して支持する階段支持構造であって、工場でのプレハブ工程を省略して現地で簡単に階段を組み立てることが可能で、製作期間とコストとを低減することができる汎用性の高い階段支持構造を提供する。また、階段の構成部材が収縮しても、撓みや亀裂が発生することがなく、万一破損しても、破損した部分だけを取り外して容易に新しいものに取り替えることができるなど修理が容易である。【解決手段】階段の各段ごとに壁面２に取り付けられる取り付け金具１０と、この取り付け金具１０に端部が支持され、上面に階段の段板３が固定される梁部材（前側梁部材８および後ろ側梁部材９）とを備えた。【選択図】図１
2008002080.tif 000002
【特許請求の範囲】
【請求項１】
階段の段板を建物の壁面に対して支持する階段支持構造であって、
階段の各段ごとに壁面に取り付けられる取り付け金具と、
この取り付け金具に端部が支持され、上面に階段の段板が固定される梁部材と、
を備えたことを特徴とする階段支持構造。
【請求項２】
上記取り付け金具は、
壁面に沿って固定されるベース部と、
ベース部において階段の降段側になる前側の部分に設けられ、段板の前側の荷重を支える前側受け部と、
ベース部において階段の昇段側になる後ろ側に設けられ、段板の後ろ側の荷重を支える後ろ側受け部と、
この後ろ側受け部を段板の幅に対応して前後方向に位置変更可能に、ベース部に連結する連結手段とを備え、
上記梁部材は、
上記前側受け部に端部が支持され、上面に階段の段板の前側が固定される前側梁部材と、
上記後ろ側受け部に端部が支持され、上面に階段の段板の後ろ側が固定される後ろ側梁部材とを備えたことを特徴とする請求項１に記載の階段支持構造。
【請求項３】
上記後ろ側受け部は、段板の後ろ側の荷重を支える後ろ側水平部とベース部に重ねられる後ろ側垂直部とを有する後ろ側アングル部材を備え、
上記連結手段は、この後ろ側アングル部材の後ろ側垂直部と、ベース部の背面に配置された裏当部材とがベース部に形成された長孔を介してねじでベース部に連結されることにより、後ろ側受け部が段板の幅に対応して前後方向に位置変更可能に、ベース部に連結されるように構成されていることを特徴とする請求項１または請求項２のいずれかに記載の階段支持構造。
【請求項４】
上記前側梁部材は、この前側梁部材の上面に固定される階段の段板に対して概ね垂直に設けられる前側の蹴り込み板の上端部を係止する前側係止溝を備え、
上記後ろ側梁部材は、この後ろ側梁部材の上面に固定される階段の段板に対して概ね垂直に設けられる後ろ側の蹴り込み板の下端部を係止する後ろ側係止溝を備えていることを特徴とする請求項１ないし請求項３のいずれかに記載の階段支持構造。
【請求項５】
上記前側梁部材は、係止した蹴り込み板の上端部と、前側梁部材の上面に固定した段板の下面との前側突合せ部を覆う前側仕舞い部を備え、
上記後ろ側梁部材は、係止した蹴り込み板の下端部と、後ろ側梁部材の上面に固定した段板の上面との後ろ側突合せ部を覆う後ろ側仕舞い部を備えていることを特徴とする請求項４に記載の階段支持構造。
【請求項６】
上記前側梁部材と後ろ側梁部材とは、それぞれ曲げモーメントに対する剛性を補強する補強リブを備えていることを特徴とする請求項１ないし請求項５のいずれかに記載の階段支持構造。
【請求項７】
上記前側梁部材と後ろ側梁部材とは、それぞれねじ孔を備え、
このねじ孔を介して段板が前側梁部材と後ろ側梁部材の上面にねじで固定されていることを特徴とする請求項１ないし請求項６のいずれかに記載の階段支持構造。
【請求項８】
上記前側受け部は、段板の前側の荷重を支える前側水平部とベース部に重ねられる前側垂直部とを有する前側アングル部材を備え、
この前側アングル部材の前側垂直部がねじでベース部に連結されることにより、前側受け部がベース部に連結されるように構成されていることを特徴とする請求項１ないし請求項７のいずれかに記載の階段支持構造。
【発明の詳細な説明】
【技術分野】
【０００１】
本発明は、例えば住宅などの建物において、階段の段板を支持する階段支持構造に関するものである。
【背景技術】
【０００２】
例えば住宅などの建物において、階段の段板を支持する階段支持構造としては、従来、図７に示すようなプレハブのプレカット部材２２が一般に用いられる。図７は、プレカット部材２２を用いた従来の階段支持構造２１の構成を示す斜視図である。このようなプレカット部材２２は、階段２３を設けようとする建物の寸法と階段２３の寸法とに合わせてあらかじめ工場において製作され、現地に搬入されて建物の壁面２４に固定される。そしてこの壁面２４に固定されたプレカット部材２２の上に図７に示すように階段の段板２５や蹴り込み板２６が取り付けられて、階段２３が一体に組み立てられるように構成されている。
【発明の開示】
【発明が解決しようとする課題】
【０００３】
しかしながら、上述の階段支持構造の従来技術では、工場でプレカット部材を製作するなどのプレハブ工程が不可欠であり、現地で簡単に階段を組み立てることができなかった。そのため、製作期間を短くしてコストを低減することに限界があった。
【０００４】
また、階段を一体に組み立てるので、長期間のうちに段板などの階段の構成部材が収縮し、場合によっては撓みや亀裂が発生するという不具合があった。
【０００５】
そして、階段の一部分が万一破損した場合は、階段全体を一度解体しなければならず、修理が容易でないという不具合があった。
【０００６】
本発明は上記不具合に鑑みてなされたものであり、寸法の異なる種々の階段であっても工場でのプレハブ工程を省略して現地で簡単に階段を組み立てることが可能で、製作期間とコストとを低減することができる汎用性の高い階段支持構造を提供することを課題としている。
【０００７】
また、段板など階段の構成部材が収縮しても、撓みや亀裂が発生することがない長期間使用可能な階段支持構造を提供することを課題としている。
【０００８】
さらに、階段の一部分が万一破損しても、その破損した部分だけを取り外して容易に新しいものに取り替えることができる修理が容易な階段支持構造を提供することを課題としている。
【０００９】
なお、本願に記載する階段支持構造は、上述の階段支持構造の従来技術のいずれにも該当せず、出願人の知る限りでは本願出願に類する公知例が無いため、本出願の時点では開示すべき先行技術文献情報は保有していない。
【課題を解決するための手段】
【００１０】
上記課題を解決するための本発明は、階段の段板を建物の壁面に対して支持する階段支持構造であって、階段の各段ごとに壁面に取り付けられる取り付け金具と、この取り付け金具に端部が支持され、上面に階段の段板が固定される梁部材と、階段の段板を建物の壁面に対して支持する階段支持構造であって、階段の各段ごとに壁面に沿って固定されるベース部と、このベース部に端部が支持され、上面に階段の段板が固定される梁部材と、を備えたことを特徴とする階段支持構造である。
【００１１】
本発明によれば、取り付け金具を階段の各段ごとに壁面に取り付けるとともに、この取り付け金具に梁部材を支持させ、さらにこの梁部材に階段の段板を固定することにより、簡単に現地で階段を組み立てることができる。その結果、工場でプレカット部材を製作するなどのプレハブ工程がなくなり、製作期間を短くコストを低減することが可能となる。
【００１２】
また、階段の一部分が万一破損しても、その破損した部分だけを取り外して容易に新しいものに取り替えることができる。
【００１３】
ここで、上記取り付け金具は、壁面に沿って固定されるベース部と、ベース部において階段の降段側になる前側の部分に設けられ、段板の前側の荷重を支える前側受け部と、ベース部において階段の昇段側になる後ろ側に設けられ、段板の後ろ側の荷重を支える後ろ側受け部と、この後ろ側受け部を段板の幅に対応して前後方向に位置変更可能に、ベース部に連結する連結手段とを備え、上記梁部材は、上記前側受け部に端部が支持され、上面に階段の段板の前側が固定される前側梁部材と、上記後ろ側受け部に端部が支持され、上面に階段の段板の後ろ側が固定される後ろ側梁部材とを備えていることが好ましい。
【００１４】
このようにすれば、ベース部に連結される後ろ側受け部を、連結手段が段板の幅に対応して前後方向に位置変更することができるので、寸法の異なる種々の階段に対応することができる結果、汎用性の高い階段支持構造を実現することができる。また、長期のうちに段板が収縮しても応力が発生せず、撓んだり割れたりすることがない。
【００１５】
ここで、上記後ろ側受け部は、段板の後ろ側の荷重を支える後ろ側水平部とベース部に重ねられる後ろ側垂直部とを有する後ろ側アングル部材を備え、上記連結手段は、この後ろ側アングル部材の後ろ側垂直部と、ベース部の背面に配置された裏当部材とがベース部に形成された長孔を介してねじでベース部に連結されることにより、後ろ側受け部が段板の幅に対応して前後方向に位置変更可能に、ベース部に連結されるように構成されていることが好ましい。
【００１６】
このようにすれば、後ろ側アングル部材の後ろ側垂直部と、ベース部の背面に配置された裏当部材とがベース部に形成された長孔を介してねじでベース部に連結するという簡単な構成により、安価で取り扱いが容易かつ確実な連結手段を実現することができる。
【００１７】
また、上記前側梁部材は、この前側梁部材の上面に固定される階段の段板に対して概ね垂直に設けられる前側の蹴り込み板の上端部を係止する前側係止溝を備え、上記後ろ側梁部材は、この後ろ側梁部材の上面に固定される階段の段板に対して概ね垂直に設けられる後ろ側の蹴り込み板の下端部を係止する後ろ側係止溝を備えていることが好ましい。
【００１８】
このようにすれば、前側梁部材の前側係止溝が、蹴り込み板の上端部を係止し、後ろ側梁部材の後ろ側係止溝が、蹴り込み板の下端部を係止するので、階段の段板だけでなく、蹴り込み板も支持することができる階段支持構造を実現することができる。
【００１９】
また、上記前側梁部材は、係止した蹴り込み板の上端部と、前側梁部材の上面に固定した段板の下面との前側突合せ部を覆う前側仕舞い部を備え、上記後ろ側梁部材は、係止した蹴り込み板の下端部と、後ろ側梁部材の上面に固定した段板の上面との後ろ側突合せ部を覆う後ろ側仕舞い部を備えていることが好ましい。
【００２０】
このようにすれば、前側梁部材と後ろ側梁部材とが、それぞれ前側仕舞い部と後ろ側仕舞い部とを備えているので、段板と蹴り込み板との間の外観を良好なものにすることができる。
【００２１】
また、上記前側梁部材と後ろ側梁部材とは、それぞれ曲げモーメントに対する剛性を補強する補強リブを備えていることが好ましい。
【００２２】
このようにすれば、前側梁部材と後ろ側梁部材とが、それぞれ曲げモーメントに対する剛性を補強する補強リブを備えているので、少ない量の部材で高い強度の階段支持構造を安価に提供することができる。
【００２３】
また、上記前側梁部材と後ろ側梁部材とは、それぞれねじ孔を備え、このねじ孔を介して段板が前側梁部材と後ろ側梁部材の上面にねじで固定されていることが好ましい。
【００２４】
このようにすれば、段板を前側梁部材と後ろ側梁部材の上面にねじで固定することができるので、材質、外観などが異なる種々の段板を採用することが可能であり、汎用性の高い階段支持構造を実現することができる。
【００２５】
また、上記前側受け部は、段板の前側の荷重を支える前側水平部とベース部に重ねられる前側垂直部とを有する前側アングル部材を備え、この前側アングル部材の前側垂直部がねじでベース部に連結されることにより、前側受け部がベース部に連結されるように構成されていることが好ましい。
【００２６】
このようにすれば、前側アングル部材の前側垂直部をねじでベース部に連結するという簡単な構成により、安価で取り扱いが容易な前側受け部を実現することができる。
【発明の効果】
【００２７】
以上説明したように、本発明によれば、寸法の異なる種々の階段であっても工場でのプレハブ工程を省略して現地で簡単に階段を組み立てることが可能で、製作期間とコストとを低減することができる汎用性の高い階段支持構造を提供することができるという顕著な効果を奏する。
【００２８】
また、段板など階段の構成部材が収縮しても、撓みや亀裂が発生することがない長期間使用可能な階段支持構造を提供することができる。
【００２９】
さらに、階段の一部分が万一破損しても、その破損した部分だけを取り外して容易に新しいものに取り替えることができる修理が容易な階段支持構造を提供することができる。
【発明を実施するための最良の形態】
【００３０】
以下、添付図面を参照しながら本発明の好ましい実施の一形態について詳述する。図１と図２とは本発明の実施の形態に係る階段支持構造１の構成を示す斜視図であり、図１は、階段支持構造１を下方から見た図を、図２は、階段支持構造１を上方から見た図を示している。また、図３は、階段支持構造１の構成を示す側断面図であり、図４は、ベース部４と後ろ側受け部６との構成を示す断面図である。
【００３１】
図１と図２とを参照して、図示の本発明の実施の形態に係る階段支持構造１は、住宅の建物の壁面２に対して、階段の段板３（図２）を支持する構造であって、階段の各段ごとに壁面に取り付けられる取り付け金具１０と、この取り付け金具１０に端部が支持され、上面に階段の段板３が固定される梁部材である前側梁部材８と、後ろ側梁部材９とを備えている。
【００３２】
また、取り付け金具１０は、壁面２に沿って固定されるベース部４（図１）と、前側受け部５（図１）と、後ろ側受け部６（図１）と、この後ろ側受け部６をベース部４に連結する連結手段７（図１）とを備えている。
【００３３】
上記壁面２は、本実施形態では、住宅の建物に対して設けられた壁面であり、この壁面２は、木製の合板で構成されている。
【００３４】
ここで、図３を参照して、上記段板３は、本実施形態では、木製の板材からなる上部段板３ａと、合成樹脂材からなるクッション材３ｂとで構成されている。
【００３５】
上記ベース部４は、壁面２に沿って固定される矩形に形成された鋼製のプレス材で構成され、ねじ孔４ａを介して図略のねじで壁面２に取り付けられる。
【００３６】
上記前側受け部５は、ベース部４において階段の降段側になる前側の部分に設けられ、段板３の前側の荷重を支える部分であり、この前側受け部５は、本実施形態では、断面Ｌ字形に形成された鋼製のプレス材からなる前側アングル部材１１で構成されている。この前側アングル部材１１は、段板３の前側の荷重を支える前側水平部１１ａとベース部４に重ねられる前側垂直部１１ｂとを有している（図５）。この前側垂直部１１ｂがねじ５ａでベース部４に連結されることにより、この前側アングル部材１１からなる前側受け部５がベース部４に連結されるように構成されている。
【００３７】
上記後ろ側受け部６は、ベース部４において階段の昇段側になる後ろ側に設けられ、段板３の後ろ側の荷重を支える部分であり、この後ろ側受け部６も本実施形態では前側受け部５と同様に、断面Ｌ字形に形成された鋼製のプレス材からなる後ろ側アングル部材１２で構成されている。そして、この後ろ側アングル部材１２も前側受け部５と同様に、段板３の後ろ側の荷重を支える後ろ側水平部１２ａとベース部４に重ねられる後ろ側垂直部１２ｂとを有している。
【００３８】
上記連結手段７は、この後ろ側受け部６を段板３の幅に対応して前後方向に位置変更可能に、ベース部４に連結するものである。具体的には、図５にも示すように、後ろ側アングル部材１２の後ろ側垂直部１２ｂと、ベース部４の背面に配置された板状の鋼製材である裏当部材７ａとがベース部４に形成された長孔７ｂを介してねじ７ｃでベース部４に連結されることにより、後ろ側受け部６が段板３の幅に対応して前後方向に位置変更可能に、ベース部４に連結される。
【００３９】
上記前側梁部材８は、上面に階段の段板３の前側が固定される部材であり、板状に形成された軽合金製の型材で構成され、前側受け部５に端部が支持されている。
【００４０】
この前側梁部材８は、前側係止溝８ａを備えており、前側梁部材８の上面に固定される階段の段板３に対して概ね垂直に設けられる前側の蹴り込み板１３の上端部を、この前側係止溝８ａに係止するように構成されている。
【００４１】
また、この前側梁部材８は、前側仕舞い部８ｂを備えており、この前側仕舞い部８ｂが、係止した蹴り込み板１３の上端部と前側梁部材８の上面に固定した段板３の下面との前側突合せ部８ｃを覆うように構成されている。
【００４２】
さらに、この前側梁部材８は、補強リブ８ｄを備え、曲げモーメントに対する剛性を補強するように構成されている。
【００４３】
上記後ろ側梁部材９は、上面に階段の段板３の後ろ側が固定される部材であり前側梁部材８と同様に板状に形成された軽合金製の型材で構成され、後ろ側受け部６に端部が支持されている。
【００４４】
この後ろ側梁部材９は、後ろ側係止溝９ａを備えており、上面に固定される階段の段板３に対して概ね垂直に設けられる後ろ側の蹴り込み板１３の下端部を、この後ろ側係止溝９ａに係止するように構成されている。
【００４５】
また、この後ろ側梁部材９は、後ろ側仕舞い部９ｂを備えており、この後ろ側仕舞い部９ｂが、係止した蹴り込み板１３の下端部と、後ろ側梁部材９の上面に固定した段板３の上面との後ろ側突合せ部９ｃを覆うように構成されている。
【００４６】
さらに、後ろ側梁部材９は、補強リブ９ｄを備え、曲げモーメントに対する剛性を補強するように構成されている。
【００４７】
そして、これら前側梁部材８と後ろ側梁部材９とは、それぞれねじ孔８ｅ、９ｅを備え、このねじ孔８ｅ、９ｅを介して段板３が前側梁部材８と後ろ側梁部材９の上面にそれぞれねじ８ｆ、９ｆで固定されている。
【００４８】
次に図３〜図６を参照して、本発明の実施の形態に係る階段支持構造１の作用について説明する。
【００４９】
図５は、ベース部４を壁面２に沿って固定する要領を示す説明図であり、図６は前側梁部材８と後ろ側梁部材９それぞれに蹴り込み板１３を取り付ける要領を示す説明図である。
【００５０】
本発明の実施の形態に係る階段支持構造１においては、まず、まず、図３に示すように、前側アングル部材１１の前側垂直部１１ｂがベース部４に重ねられ、ねじ５ａでベース部４に連結されることにより、前側受け部５がベース部４に連結される。
【００５１】
次に、段板３の幅に対応して、後ろ側アングル部材１２の後ろ側垂直部１２ｂが、ベース部４の階段の昇段側になる後ろ側の部分に重ねられ、図４にも示すように、この後ろ側垂直部１２ｂと、ベース部４の背面に配置された裏当部材７ａとがベース部４に形成された長孔７ｂを介してねじ７ｃでベース部４に連結される。
【００５２】
なお、連結手段７は、ねじ７ｃを緩めることにより、段板３の幅に対応して後ろ側受け部６を前後方向に位置変更することが可能になっている。
【００５３】
そして、図５に示すように、階段の型板１４に沿ってベース部４が、ベース部４のねじ孔４ａ（図３）を挿通する図略のねじを用いて階段の両側の壁面２に沿って固定される（図５では一方の壁面２のみ図示し、他方の壁面２は省略している）。
【００５４】
ベース部４が壁面２に固定されたならば、次に、前側受け部５に前側梁部材８の端部を支持させ、後ろ側受け部６に後ろ側梁部材９の端部を支持させる。
【００５５】
この時、図６に示すように、前側梁部材８の前側係止溝８ａが、前側の蹴り込み板１３の上端部を係止し、後ろ側梁部材９の後ろ側係止溝９ａが、後ろ側の蹴り込み板１３の下端部を係止するようにして前側梁部材８と後ろ側梁部材９とをそれぞれ前側受け部５と後ろ側受け部６とに支持させる。
【００５６】
そして、図３に示すように、前側梁部材８と後ろ側梁部材９とのそれぞれに設けられたねじ孔８ｅ、９ｅを介して、ねじ８ｆにより前側梁部材８の上面に階段の段板３の前側が固定され、ねじ９ｆにより後ろ側梁部材９の上面に階段の段板３の後ろ側が固定される。
【００５７】
この状態では、前側受け部５が、段板３の前側の荷重を支え、後ろ側受け部６が段板３の後ろ側の荷重を支えるようになっている。また、前側仕舞い部８ｂが、係止した蹴り込み板１３の上端部と、段板３の下面との前側突合せ部７ｃを覆い、後ろ側仕舞い部９ｂが、係止した蹴り込み板１３の下端部と、段板３の上面との後ろ側突合せ部９ｃを覆って突合せ部の外観を良好なものにする。
【００５８】
以上説明したように、本発明の実施の形態に係る階段支持構造１によれば、取り付け金具１０を階段の各段ごとに壁面２に取り付けるとともに、この取り付け金具１０に前側梁部材８と後ろ側梁部材９とからなる梁部材の端部を支持させ、さらに前側梁部材８と後ろ側梁部材９とからなる梁部材に階段の段板３を固定することにより、簡単に現地で階段を組み立てることができる。その結果、工場でプレカット部材を製作するなどのプレハブ工程がなくなり、製作期間を短くコストを低減することが可能となる。
【００５９】
また、階段の一部分が万一破損しても、その破損した部分だけを取り外して容易に新しいものに取り替えることができる。
【００６０】
また、ベース部４に連結される後ろ側受け部６を、連結手段７が段板３の幅に対応して前後方向に位置変更することができるので、寸法の異なる種々の階段に対応することができる結果、汎用性の高い階段支持構造１を実現することができる。また、長期のうちに段板３が収縮しても応力が発生せず、撓んだり割れたりすることがない。
【００６１】
次に、階段支持構造１によれば、後ろ側アングル部材１２の後ろ側垂直部１２ｂと、ベース部４の背面に配置された裏当部材７ａとがベース部４に形成された長孔７ｂを介してねじでベース部４に連結するという簡単な構成により、安価で取り扱いが容易かつ確実な連結手段７を実現することができる。
【００６２】
また、前側梁部材８の前側係止溝８ａが、蹴り込み板１３の上端部を係止し、後ろ側梁部材９の後ろ側係止溝９ａが、蹴り込み板１３の下端部を係止するので、階段の段板３だけでなく、蹴り込み板１３も支持することができる階段支持構造１を実現することができる。
【００６３】
さらに、前側梁部材８と後ろ側梁部材９とが、それぞれ前側仕舞い部８ｂと後ろ側仕舞い部９ｂとを備えているので、段板３と蹴り込み板１３との間の外観を良好なものにすることができる。
【００６４】
また、また、階段支持構造１によれば、前側梁部材８と後ろ側梁部材９とが、それぞれ曲げモーメントに対する剛性を補強する補強リブを備えているので、少ない量の部材で高い強度の階段支持構造１を安価に提供することができる。
【００６５】
また、段板３を前側梁部材８と後ろ側梁部材９の上面にねじで固定することができるので、材質、外観などが異なる種々の段板３を採用することが可能であり、汎用性の高い階段支持構造１を実現することができる。
【００６６】
そして、前側アングル部材１１の前側垂直部１１ｂをねじでベース部４に連結するという簡単な構成により、安価で取り扱いが容易な前側受け部５を実現することができる。
【００６７】
上述した実施の形態は本発明の好ましい具体例を例示したものに過ぎず、本発明は上述した実施の形態に限定されない。
【００６８】
例えば、本発明の実施の形態に係る階段支持構造１は、住宅の建物の壁面２に対して階段の段板３を支持する構造に限定されない。工場など、その他の建物の壁面２に対しても採用可能である。
【００６９】
ベース部４と、前側受け部５と、後ろ側受け部６と、連結手段７は、必ずしも鋼製に限定されないし前側梁部材８と、後ろ側梁部材９とは、必ずしも軽合金製に限定されないなど、これらの部材の材質、仕様は、種々の設計変更が可能である。
【００７０】
前側受け部５は、本実施形態では、断面Ｌ字形に形成された鋼製のプレス材からなる前側アングル部材１１がねじ５ａでベース部４に連結されるように構成されているが、前側水平部１１ａがベース部４と一体に形成された部材であってもよい。
【００７１】
後ろ側受け部６も、本実施形態では前側受け部５と同様に、断面Ｌ字形に形成された鋼製のプレス材からなる後ろ側アングル部材１２で構成されているが、ベース部４において階段の昇段側になる後ろ側に設けられ、段板３の後ろ側の荷重を支える部分であれば、種々の設計変更が可能である。
【００７２】
また、連結手段７も、この後ろ側受け部６を段板３の幅に対応して前後方向に位置変更可能にベース部４に連結するものであれば、種々の連結手段７が採用可能である。
【００７３】
前側梁部材８の前側仕舞い部８ｂや後ろ側梁部材９の後ろ側仕舞い部９ｂも、必ずしも必須ではなく、省略可能であるなど、蹴り込み板１３が省略された階段構造にも適用可能である。
【００７４】
その他、本発明の特許請求の範囲内で種々の設計変更が可能であることはいうまでもない。
【図面の簡単な説明】
【００７５】
【図１】本発明の実施の形態に係る階段支持構造の構成を示す斜視図であり、階段支持構造を下方から見た図を示している。
【図２】本発明の実施の形態に係る階段支持構造の構成を示す斜視図であり、階段支持構造を上方から見た図を示している。
【図３】階段支持構造の構成を示す側断面図である。
【図４】ベース部と後ろ側受け部との構成を示す断面図である。
【図５】ベース部を壁面に沿って固定する要領を示す説明図である。
【図６】前側梁部材と後ろ側梁部材それぞれに蹴り込み板を取り付ける要領を示す説明図である。
【図７】プレカット部材を用いた従来の階段支持構造の構成を示す斜視図である。
【符号の説明】
【００７６】
１    階段支持構造
２    建物の壁面
３    段板
４    ベース部
５    前側受け部
６    後ろ側受け部
７    連結手段
７ａ  裏当部材
７ｂ  長孔
７ｃ  前側突合せ部
８    前側梁部材
８ａ  前側係止溝
８ｂ  前側仕舞い部
８ｄ  前側梁部材の補強リブ
９    後ろ側梁部材
９ａ  後ろ側係止溝
９ｂ  後ろ側仕舞い部
９ｃ  後ろ側突合せ部
９ｄ  後ろ側梁部材の補強リブ
１０  取り付け金具
１１  前側アングル部材
１１ａ  前側水平部
１１ｂ  前側垂直部
１２    後ろ側アングル部材
１２ａ  後ろ側水平部
１２ｂ  後ろ側垂直部
１３    蹴り込み板
【図１】
2008002080.tif 000003
【図２】
2008002080.tif 000004
【図３】
2008002080.tif 000005
【図４】
2008002080.tif 000006
【図５】
2008002080.tif 000007
【図６】
2008002080.tif 000008
【図７】
2008002080.tif 000009